(57)【特許請求の範囲】
【請求項１】
排水用レバー６、玉鎖４及び排水用弁体８を有する既設の水洗用タンク７に設置され、前記排水用弁体８を引上げて前記水洗用タンク７内の水を排水するための引上げ部１１と、この引上げ部１１を動作させる信号及び電源を前記引上げ部１１に供給するための制御部１４と、前記水洗用タンク７の側壁に係止され前記引上げ部１１を水洗用タンク７内に固定する固定具１３からなる自動便器洗浄装置であって、前記固定具１３は前記水洗用タンク７の長さに合わせ長さを調整して水洗用タンク７の側壁に設置し、固定具１３に前記引上げ部１１を固定し、引上げ部１１が持つワイヤ１０の先端を前記の玉鎖４に接続して、前記引上げ部１１が持つワイヤ１０の引上げによる前記排水用弁体８の持ち上がりによる排水と、前記既設の水洗用タンク７が有する排水用レバー６を手動で動作させての排水ができる自動便器洗浄装置。
【発明の詳細な説明】
【０００１】
【産業上の利用分野】
本発明は、既設の水洗用タンクを利用した自動便器洗浄装置に関するものである。
【０００２】
【従来の技術】
図２を使用して従来の自動便器洗浄装置を説明すると、既設の水洗用タンク７から排水用レバー６とレバーが一体となっている継手９を取外し、前記継手のみを同一形状の引上げ部１９に交換し、リモコン２１等により継手９が動作するようにする。
【０００３】
引上げ部１９は、図３に示すように、内部にモータ１７と減速機１６を内蔵する構造となっている。使用者がリモコン２１等により洗浄の指示を与えると、モータ１７が回転し、同時に継手９に接続された玉鎖４を介して排水用弁体８が持ち上げられ、水洗用タンク７内の水が配水管５から排水される。この時モータ１７の回転方向は、継手９を図２に示すＡ方向へ動かすように回転させる。
【０００４】
その後、引上げ部１９を、継手９を図２に示すＢ方向へ動かすように回転させ排水用弁体８は自重によって下がり、配水管５に蓋をする。また、図２の３はボールタップ装置２の浮き玉であり、水洗用タンク７内の水位に応じて上下動し、弁開閉を行ない所定水位を保つようになっている。
【０００５】
【発明が解決しようとする課題】
しかしながら、自動便器洗浄装置を既設の水洗用タンク７に設置する場合、排水用レバー６の位置や継手９の形状、レバーの回転方向が合うことは少なく、取り付ける際に特殊部品や各々の既設水洗用タンク専用部材を使用しなければならず、構造が複雑且つ大形化し大幅なコストアップになってしまう。
【０００６】
本発明は、上記問題点に鑑みなされたものであり、既設の水洗用タンク７をそのまま使用でき、且つ様々な種類の水洗用タンクに対応可能な自動便器洗浄装置を提供することを目的としたものである。
【０００７】
【課題を解決するための手段】
本発明は、排水用レバー６、玉鎖４及び排水用弁体８を有する既設の水洗用タンク７に設置され、前記排水用弁体８を引上げて前記水洗用タンク７内の水を排水するための引上げ部１１と、この引上げ部１１を動作させる信号及び電源を前記引上げ部１１に供給するための制御部１４と、前記水洗用タンク７の側壁に係止され前記引上げ部１１を水洗用タンク７内に固定する固定具１３からなる自動便器洗浄装置であって、前記固定具１３は前記水洗用タンク７の長さに合わせ長さを調整して水洗用タンク７の側壁に設置し、固定具１３に前記引上げ部１１を固定し、引上げ部１１が持つワイヤ１０の先端を前記の玉鎖４に接続して、前記引上げ部１１が持つワイヤ１０の引上げによる前記排水用弁体８の持ち上がりによる排水と、前記既設の水洗用タンク７が有する排水用レバー６を手動で動作させての排水ができる自動便器洗浄装置である。
【０００８】
【作用】
本発明では、伸縮自在の固定具１３に引上げ部１１を固定するため、水洗用タンク７自体の大きさや排水用レバー６の位置に関係なく様々な種類の既設された水洗用タンク７に自動便器洗浄装置を設置することが可能となる。また、引上げ部１１がワイヤ１０を持つため、既設の排水用レバー６を交換することなく使用できる。
【０００９】
【実施例】
以下図面を用いて本発明の実施例を説明する。
本発明で使用される引上げ部１１は、図４に示すようにモータ１７と減速機１６、ワイヤ１０を有するプーリ１５が直列に接続された構造を持ち、モータ１７を回転させることによりワイヤ１０の巻き上げ、延ばしを行なう。
【００１０】
制御部１４は、乾電池を内蔵しワイヤレスリモコン２１からの信号を受けるための受光部１８を有したものであれば形状は問わない。ただし、ワイヤレスリモコン２１を使用しない場合は、受光部ではなくプッシュスイッチが必要となる。尚、乾電池ではなく、外部から電気を引き込むことももちろん可能である。
また、固定部１３は、図６に示すように板の一部を段違いにして固定ねじ２５により固定する構造をもっており、段違い部をずらすことにより長さを調整することができる。もちろん長さを調整できるものであれば段違い部のない構造の固定部であっても使用可能である。図５は、本発明の固定具１３の別の実施例であり、ゴム、スポンジ等の軟らかく水洗用タンク７内壁を傷つけない部材２２を両端に有し、ねじを両端に切ってある固定台にて接続した固定具１３であり、ねじ部によって全体の長さを調整する。
【００１１】
水洗用タンク７への設置は、図１を用いて説明すると、前記水洗用タンク７の長さに合わせ固定具１３の長さを調整し、側壁に設置する。その後、前記固定具１３に引上げ部１１を固定し、ワイヤ１０の先端を玉鎖４に接続する。通常の水洗用タンク７には、左右両側にボールタップ装置を取り付けるための穴があいているため、該穴を通しケーブル１２を水洗用タンク７外部に出し、制御部１４に接続する。
【００１２】
ワイヤレスリモコン２１のスイッチによって洗浄指令をだすと、受光部１８は、ワイヤレスリモコン２１からの信号を受けて、引上げ部１１に作動信号をだす。信号を受けた引上げ部１１は、一定時間モータ１７を回転させワイヤ１０を引上げる。ワイヤ１０の先端は、玉鎖４に接続されているため、水洗用タンク７内の水は排水用弁体８が持ち上がると同時に配水管５を通り排水される。その後引上げ部１１は、プーリ１５の回転数検知や回転角度検知等によってワイヤ１０を元の長さまで戻すことを行ない、排水用弁体８が自重によって元の位置に戻る。そして、図１から明らかなように、排水用レバー６及び玉鎖４に関しては既設の状態から変化させていないため、従来どうり排水用レバー６を手動で動作させても水は流れる。
【００１３】
【発明の効果】
以上説明してきたように本発明によれば、玉鎖４をワイヤ１０によって直接引き上げるため、排水用レバー６の形状、位置、回転方向に関係なく装置の設置が可能であり、且つ手動での排水も行なえる。
また、固定具１３の長さが伸縮自在のため様々な大きさの水洗用タンク７への設置が可能である。そのため従来に比べ装置の大形化や、複雑化がなくなり、特殊部品や各々の既設水洗用タンク専用部材を使用することがないため、大幅なコストダウンが図れる。
【図面の簡単な説明】
【図１】本発明の自動便器洗浄装置を示す断面図である。
【図２】従来の自動便器洗浄装置を示す断面図である。
【図３】従来技術で用いられた引上げ部の側面図及び正面図である。
【図４】本発明に用いられる引上げ部の断面図である。
【図５】本発明に用いられる固定具の１実施例正面図及び側面図である。
【図６】本発明に用いられる固定具の１実施例平面図及び側面図である。
【符号の説明】
１．蓋    ２．ボールタップ装置    ３．浮玉    ４．玉鎖    ５．配水管
６．排水用レバー    ７．水洗用タンク    ８．排水用弁体    ９．継手
１０．ワイヤ    １１．引上げ部    １２．ケーブル    １３．固定具
１４．制御部    １５．プーリ    １６．減速機    １７．モータ
１８．受光部    １９．引上げ部    ２０．乾電池
２１．ワイヤレスリモコン    ２２．部材    ２３．ねじ山    ２４．固定具
２５．固定用ねじ
【図１】
0003630176.tif 000002
【図２】
0003630176.tif 000003
【図３】
0003630176.tif 000004
【図４】
0003630176.tif 000005
【図５】
0003630176.tif 000006
【図６】
0003630176.tif 000007